(57)【特許請求の範囲】
【請求項１】
本体と、
上記本体に装着され、且つ、第１被記録媒体及び第２被記録媒体が載置可能なトレイ体と、
上記トレイ体に載置された被記録媒体を送り出す給送部と、
上記給送部により送り出された被記録媒体に画像を記録する記録部と、
上記トレイ体の上方に位置し、上記記録部で画像が記録された被記録媒体を排出する排出部と、
上記排出部から排出された被記録媒体を支持可能な排紙載置面を有する排紙受け部と、を備え、
上記トレイ体は、
第１被記録媒体が載置可能な第１載置面を有する第１トレイと、
第２被記録媒体が載置可能な第２載置面を有し且つ上記第１載置面の上方を上記第１載置面に沿ってスライド可能に設けられており、上記給送部が第２被記録媒体を送り出す第１位置、及び、上記給送部から離間し上記給送部が第１被記録媒体を送り出す第２位置に移動可能な第２トレイと、
上記第２位置にある上記第２トレイの上方の少なくとも一部の上方を覆う蓋と、を備え、
上記第２トレイは、
上記第２載置面に対して起立し、上記第２載置面に沿って移動可能に設けられ、上記第２載置面に載置された第２被記録媒体の端をガイドするガイド部材と、
上記ガイド部材を連動させて移動させるために操作される第１操作部と、を備え、
上記第１操作部の少なくとも一部は、
上記第２トレイが上記第１位置にあるときに、上記蓋を貫通する露出部を通じて上方に露出されており、
上記第２トレイが上記第２位置にあるときに、上記露出部と異なる位置において上記蓋に上方を覆われるものである画像記録装置。
【請求項２】
上記蓋は、上記トレイ体に設けられた上記排紙受け部である請求項１に記載の画像記録装置。
【請求項３】
上記第２トレイは、上記第１位置及び上記第２位置への移動のために操作される第２操作部を更に備えたものである請求項１又は２に記載の画像記録装置。
【請求項４】
上記蓋は、上記第２操作部を上方に露出させる第１露出部と、上記露出部である第２露出部と、を備えたものである請求項３に記載の画像記録装置。
【請求項５】
上記ガイド部材は、給送される第２被記録媒体の給送向きにおける後端と当接するリアガイドを含むものであり、
上記露出部は、上記第２トレイの上記第２位置において上記リアガイドに形成された上記第１操作部を上方に露出させる請求項１から４のいずれかに記載の画像記録装置。
【請求項６】
上記露出部は、上記リアガイドを露出させるものである請求項５に記載の画像記録装置。
【請求項７】
上記第１トレイは、上記載置面から起立し、上記第２トレイのスライド方向に延び、且つ当該スライド方向に離間された一対のロック凹部が設けられた固定壁を備えており、
上記第２トレイは、
上記ロック凹部に侵入した第１姿勢及び上記ロック凹部から退避した第２姿勢に姿勢変化可能に上記第２トレイに支持されており、上記第２トレイの上記第１位置及び上記第２位置において一対の上記ロック凹部の一方にそれぞれ侵入可能な位置に配置されたロック部材と、
上記ロック部材が上記ロック凹部に侵入する向きに上記ロック部材を付勢する付勢部材と、を備え、
上記第２操作部は、上記ロック部材を連動させて姿勢変化させるものである請求項３又は４に記載の画像記録装置。
【請求項８】
上記第２トレイは、
上記第２載置面に対向する姿勢で上記ガイド部材に支持された天板を更に備え、
上記天板は、上記第２トレイが上記第１位置にあるときに、上記蓋に上方を覆われない位置に配置される請求項１から７のいずれかに記載の画像記録装置。
【請求項９】
上記第１操作部は、上記第２載置面に形成された開口を有する凹所に収容されたものである請求項１から８のいずれかに記載の画像記録装置。
【請求項１０】
上記第１操作部は、つまみである請求項１から９のいずれかに記載の画像記録装置。
【請求項１１】
上記第２載置面に、載置される第２被記録媒体の位置合わせ情報又は上記ガイド部材の位置合わせ情報が表記されたものである請求項１から１０のいずれかに記載の画像記録装置。
【請求項１２】
上記ガイド部材は、
第２被記録媒体の給送方向と上記第２載置面において直交する第１方向において上記第２載置面に載置された第２被記録媒体の端に当接可能なサイドガイドを含むものであり、
上記サイドガイドを移動させる上記第１操作部は、上記第１方向における上記第２トレイの両部の一方側に配置され、
上記給送部は、
上記第１載置面の上方に配置された給送ローラと、
上記給送ローラが回転可能に一端に取り付けられたアームと、
上記アームの他端を回動可能に支持し、且つ、回転駆動される回転軸と、を備え、
上記アームは、スライドする上記第２トレイの上記両部の他方と摺接する摺接部を備えたものである請求項１から１１のいずれかに記載の画像記録装置。
【発明の詳細な説明】
【技術分野】
【０００１】
本発明は、トレイ体に収容された被記録媒体を搬送して画像を記録する画像記録装置に関する。
【背景技術】
【０００２】
従来より、被記録媒体が載置可能なトレイ体と、このトレイ体が装着される本体と、を備えた画像記録装置が提供されている。本体は、トレイ体に載置された被記録媒体を給送する給送部と、この給送部によって給送された被記録媒体に画像を記録する記録部と、画像記録後の被記録媒体を排出する排出部と、が収容されている。給送部は、例えば、回転することで当接する被記録媒体を送り出す給送ローラである。
【０００３】
また、画像記録装置には、トレイ体が、被記録媒体をそれぞれ載置可能なメイントレイ及びセカンドトレイを備えた構成を有するものがある（例えば、特許文献１参照）。例えば、メイントレイにはＡ４、Ｂ５サイズの記録用紙が載置され、セカンドトレイには葉書が載置される。このトレイ体は、メイントレイの上方に配置されたセカンドトレイがスライド可能にメイントレイに支持された構成を有している。セカンドトレイは、給送ローラが当接する位置と、給送ローラから離間した位置との間でメイントレイの上方をメイントレイの載置面に沿ってスライドする。画像記録装置は、セカンドトレイの位置により、メイントレイから被記録媒体を給送するか、セカンドトレイから被記録媒体を給送するかを変える。
【先行技術文献】
【特許文献】
【０００４】
【特許文献１】特開２００７−２３０７７７号公報
【発明の概要】
【発明が解決しようとする課題】
【０００５】
セカンドトレイが設けられた画像記録装置において、このように形成されたトレイ体に、セカンドトレイの上方の少なくとも一部を覆う蓋を設け、メイントレイに支持させることが考えられる。しかしながら、蓋によりセカンドトレイをユーザが視認でき難くなり、メイントレイに載置された被記録媒体に画像が記録されるのか、セカンドトレイに載置された被記録媒体に画像が記録されるのかが判り難くなる。
【０００６】
本発明は、上記問題に鑑みてなされたものであり、どのトレイに載置された被記録媒体に画像が記録されるかをユーザに容易に認識させることができる画像記録装置を実現することを目的とする。
【課題を解決するための手段】
【０００７】
(1)  本発明の画像記録装置は、本体と、この本体に装着され、且つ、第１被記録媒体及び第２被記録媒体が載置可能なトレイ体と、このトレイ体に載置された被記録媒体を送り出す給送部と、この給送部により送り出された被記録媒体に画像を記録する記録部と、上記トレイ体の上方に位置し、上記記録部で画像が記録された被記録媒体を排出する排出部と、この排出部から排出された被記録媒体を支持可能な排紙載置面を有する排紙受け部と、を備えている。
【０００８】
上記トレイ体は、第１被記録媒体が載置可能な第１載置面を有する第１トレイと、第２被記録媒体が載置可能な第２載置面を有し且つ上記第１載置面の上方を上記第１載置面に沿ってスライド可能に設けられており、上記給送部が第２被記録媒体を送り出す第１位置、及び、上記給送部から離間し上記給送部が第１被記録媒体を送り出す第２位置に移動可能な第２トレイと、上記第２姿勢にある上記第２トレイの上方の少なくとも一部の上方を覆う蓋と、を備えている。
【０００９】
上記第２トレイは、上記第２載置面に対して起立し、上記第２載置面に沿って移動可能に設けられ、上記第２載置面に載置された第２被記録媒体の端をガイドするガイド部材と、このガイド部材を連動させて移動させるために操作される第１操作部と、を備えている。この第１操作部は、上記第２トレイが上記第２位置にあるときの上記蓋に上方が覆われる第１領域であり且つ上記第２トレイが上記第１位置にあるときの上記蓋に上方が覆われない第２領域である第３領域に配置されている。
【００１０】
本発明では、上記ガイド部材が上記第３領域に設けられたことにより、上記第２トレイに載置された第２被記録媒体が上記給送部により送り出される上記第１位置に上記第２トレイがあるときにのみ、上記第１操作部が上方を露出されてユーザによる操作が可能となり、その結果、第１被記録媒体と第２被記録媒体のいずれに画像が記録されるかをユーザに容易に認識させることができる。
【００１１】
(2)  上記ガイド部材は、上記第３領域に配置されていることが望ましい。上記第１操作部と共に上記ガイド部材も見え隠れさせることにより、第１被記録媒体と第２被記録媒体のいずれに画像が記録されるかをユーザに更に容易に認識させることができるからである。
【００１２】
(3)  上記蓋は、上記トレイ体に設けられた上記排紙受け部であることが望ましい。部品点数を減らすことができるからである。
【００１３】
(4)  上記第２トレイは、上記第１位置及び上記第２位置への移動のために操作される第２操作部を更に備えていることが望ましい。ユーザによる上記第２トレイの移動が容易になるからである。
【００１４】
(5)  上記蓋は、上記第２操作部を上方に露出させる第１露出部を備えていることが望ましい。上記第１露出部により上記第２操作部の配置制限を緩和することができ、使い勝手を良くすることができるからである。
【００１５】
(6)  上記ガイド部材は、給送される第２被記録媒体の給送向きにおける後端と当接するリアガイドを含むものであり、上記排紙受け部は、上記第２トレイの上記第２位置において上記リアガイドに形成された上記第１操作部を上方に露出させる第２露出部を備えたものであることが望ましい。上記リアガイドの上記第１操作部が位置によって見え隠れすることで、第１被記録媒体と第２被記録媒体のいずれに画像が記録されるかをユーザに更に容易に認識させることができるからである。
【００１６】
(7)  上記第２露出部は、上記リアガイドを露出させるものであることが望ましい。上記第１操作部と共に上記リアガイドを露出させることで、上記リアガイドを見ながら上記第１操作部をユーザに操作させることができ、使い勝手が良くなるからである。
【００１７】
(8)  上記第１トレイは、上記載置面から起立し、上記第２トレイのスライド方向に延び、且つ当該スライド方向に離間された一対のロック凹部が設けられた固定壁を備えている。上記第２トレイは、上記ロック凹部に侵入した第１姿勢及び上記ロック凹部から退避した第２姿勢に姿勢変化可能に上記第２トレイに支持され、且つ、上記第２トレイの上記第１位置及び上記第２位置において一対の上記ロック凹部の一方にそれぞれ侵入可能な位置に配置されたロック部材と、このロック部材が上記ロック凹部に侵入する向きに上記ロック部材を付勢する付勢部材と、を備え、上記第２操作部は、上記ロック部材を姿勢変化させるものであることが望ましい。。
【００１８】
上記ロック部材、上記付勢部材及び上記第３操作部により、上記第１位置及び上記第２位置において上記第２トレイをロックすることができると共に、ユーザにロックの解除を行わせることができ、その結果、上記第１位置及び上記第２位置において上記第２トレイの位置決めを行うことができる。
【００１９】
(9)  上記第２トレイは、上記第２載置面に対向する姿勢で上記ガイド部材に支持された天板を更に備え、この天板は、上記第２領域に配置されたものであることが望ましい。上記天板により、上記第２トレイに載置される際に、第２被記録媒体を案内することができるからである。
【００２０】
(10)  上記第１操作部は、上記第２載置面に形成された開口を有する凹所に収容されていることが望ましい。上記凹所により、上記第１操作部が操作し易くなるからである。
【００２１】
(11)  上記第１操作部は、つまみであることが望ましい。つまみにより上記第１操作部の操作性を高めることができるからである。
【００２２】
(12)  上記第２載置面に、載置される第２被記録媒体の位置合わせ情報又は上記ガイド部材の位置合わせ情報が表記されていることが望ましい。第２被記録媒体を正確な位置に載置させることができるからである。
【００２３】
(13)  上記ガイド部材は、第２被記録媒体の給送方向と上記第２載置面において直交する第１方向において上記第２載置面に載置された第２被記録媒体の端に当接可能なサイドガイドを含むものである。このサイドガイドを移動させる上記第１操作部は、上記第１方向における上記第２トレイの両部の一方側に配置されている。上記給送部は、上記第１載置面の上方に配置された給送ローラと、この給送ローラが回転可能に一端に取り付けられたアームと、このアームの他端を回動可能に支持し、且つ、回転駆動される回転軸と、を備えている。上記アームは、スライドする上記第２トレイの上記両部の他方側と摺接する摺接部を備えている。上記第１操作部を上記両部の一方側に配置し、上記アームの上記摺接部を他方側に配置することにより、上記アームと干渉することなく上記第１操作部を設けることができる。
【発明の効果】
【００２４】
本発明によれば、第１トレイと第２トレイとのどちらのトレイに載置された被記録媒体に画像が記録されるかをユーザに容易に認識させることができる画像記録装置を実現することができる。
【図面の簡単な説明】
【００２５】
【図１】画像記録装置本体の斜視図である。
【図２】プリンタ部の模式的な断面図である。
【図３】給送機構の斜視図である。
【図４】セカンドトレイが給送位置にある状態のトレイ体の斜視図である。
【図５】セカンドトレイが退避位置にある状態のトレイ体の斜視図である。
【図６】セカンドトレイ及び排紙トレイが開かれた状態のトレイ体の斜視図である。
【図７】排紙トレイが開かれた状態のトレイ体の斜視図である。
【図８】セカンドトレイの分解斜視図である。
【図９】（Ａ）は、給送機構及びトレイ体の平面図であり、（Ｂ）は、（Ａ）におけるＡＡ断面図である。
【図１０】（Ａ）は第１領域が示された回動部の模式的な平面図であり、（Ｂ）は第２領域が示された回動部の模式的な平面図であり、（Ｃ）は第３領域が示された回動部の模式的な平面図である。
【発明を実施するための形態】
【００２６】
以下、適宜図面が参照されて本発明の実施形態が説明される。本実施形態では、図１の画像記録装置本体１１と、この画像記録装置本体１１に装着される図４のトレイ体５０と、を備えた画像記録装置１０が説明される。画像記録装置本体１１は、図１に示されたように外形が概ね直方体状となる形状に形成されている。画像記録装置本体１１の高さ方向が上下方向７と定義され、奥行き方向が前後方向８と定義され、幅方向が左右方向９と定義され、以下説明がされる。また、トレイ体５０は画像記録装置本体１１に装着されているものとして以下説明がされる。
【００２７】
［画像記録装置本体１１の概略構成］
画像記録装置本体１１は、プリンタ筐体１２と、このプリンタ筐体１２の上面に載置されたスキャナ筐体１３と、このスキャナ筐体１３の上面に載置された原稿カバー１４と、を備えている。つまり、画像記録装置１０は、印刷機能、スキャン機能、コピー機能等を有する、いわゆる複合機である。プリンタ筐体１２は請求項に記載の本体に相当する。
【００２８】
プリンタ筐体１２は、トレイ体５０（図４参照）が出し入れされる開口１２Ａを前面の下部に備えている。また、プリンタ筐体１２は、トレイ体５０を前後方向８に沿ってスライド可能に支持する不図示のガイドレールを備えている。トレイ体５０は、プリンタ筐体１２から完全に取り外せるようにプリンタ筐体１２に支持されてもよいし、スライドの前後に渡ってプリンタ筐体１２に支持されてもよい。また、プリンタ筐体１２は、被記録媒体５４に画像を記録する後述のプリンタ部１５（図２参照）を上部に収容している。被記録媒体５４は、例えば、記録用紙や、光沢紙や、はがきなどである。
【００２９】
スキャナ筐体１３は、原稿カバー１４を開閉可能に支持している。スキャナ筐体１３は、載置された不図示の原稿を原稿カバー１４と共に挟んで保持する。保持された原稿の画像は、スキャナ筐体１３に収容されたフラットベッドスキャナなどにより走査され、画像データとして取り込まれる。スキャナ及びプリンタ部１５の制御は、不図示の制御回路により行われる。制御回路は、図１に示された複数個の入力ボタン１６やパソコンなどの外部機器から入力された情報によりスキャナやプリンタ部１５の動作を制御して、画像の取り込みや画像の記録を行う。
【００３０】
［プリンタ部１５］
プリンタ部１５は、図２に示されたように、トレイ体５０に収容された被記録媒体５４をトレイ体５０から送り出す給送機構２０と、この給送機構２０により送り出された被記録媒体５４を搬送する搬送装置３０と、この搬送装置３０により搬送される被記録媒体５４に画像を記録する記録部４０と、この記録部４０や搬送装置３０やスキャナなどを駆動させる不図示の駆動部と、を備えている。この駆動部は、複数個のモータと、このモータの駆動力を搬送装置３０やスキャナなどに伝達する駆動伝達機構と、を備えている。モータは上述の制御回路により駆動制御される。給送機構２０は請求項に記載の給送部に相当し、記録部４０は請求項に記載の記録部に相当する。
【００３１】
給送機構２０は、プリンタ筐体１２に固定されたフレームなどに回転可能に支持された回転軸２１と、この回転軸２１に支持されたアーム２２と、このアーム２２に支持された左右一対の給送ローラ２３と、を備えている。回転軸２１は請求項に記載の回転軸に相当し、アーム２２は請求項に記載のアームに相当し、給送ローラ２３は請求項に記載の給送ローラに相当する。
【００３２】
回転軸２１は、左右方向９に沿って延びる棒状に形成されている。回転軸２１の一端には上述の駆動部により回転されるギア２５が取り付けられており、駆動部により回転される。回転軸２１は、アーム２２の一端を回動可能に支持している。
【００３３】
アーム２２は、左右方向９において、給送ローラ２３が形成された中央部から右側であってトレイ体５０の右側壁６２の位置までにわたって形成され、その右側端部にトレイ体５０と摺接する摺接部２２Ａが形成されている。アーム２２は、トレイ体５０と摺接することで回転軸２１を中心に回動し、他端が上下に変位する。この他端に給送ローラ２３が回転可能に支持されている。つまり、給送ローラ２３は上下に変位可能に設けられている。アーム２２は、トレイ体５０がプリンタ筐体１２（図１参照）に脱着される際に、トレイ体５０のメイントレイ６０の右の側壁６２に設けられた後述の第１摺接面６２Ｃ又はセカンドトレイ７０に設けられた第２摺接面７２Ｃ（図４参照）に摺接することで回動し、給送ローラ２３をトレイ体５０に収容された第１被記録媒体５４Ａ又は第２被記録媒体５４Ｂ（図２参照）に当接させる。摺接部２２Ａは、請求項に記載の摺接部に相当する。
【００３４】
給送ローラ２３は、アーム２２に取り付けられた複数個の伝達ギア２４により回転軸２１の回転が伝達されることで回転する。制御回路は、被記録媒体５４が後方に送り出される向きにモータを介して給送ローラ２３を回転させる。後方に送り出された被記録媒体５４は、以下に説明される搬送装置３０により搬送される。
【００３５】
［搬送装置３０］
搬送装置３０は、図２に示されたように、搬送路３１と、搬送ローラ対３２及び排紙ローラ対３３と、を備えている。搬送路３１は、複数個のガイド部材３６及びプラテン３７により形成されている。搬送路３１は、トレイ体５０の後端を起点に、トレイ体５０の上方に向かって湾曲した後、前方に向かって直線状に延びるように形成されている。プラテン３７は、トレイ体５０の上方に配置されており、搬送路３１の直線状に延びる部分の一部を形成している。
【００３６】
［搬送ローラ対３２、排紙ローラ対３３］
搬送ローラ対３２は、図２に示されたように、上述の駆動部により回転される駆動ローラ３２Ａと、この駆動ローラ３２Ａに従動する従動ローラ３２Ｂと、を備えている。排紙ローラ対３３は、上述の駆動部により回転される駆動ローラ３３Ａと、この駆動ローラ３３Ａに従動する従動ローラ３３Ｂと、を備えている。搬送ローラ対３２は、プラテン３７の後方に配置されており、排紙ローラ対３３は、プラテン３７の前方に配置され、後述されるトレイ体５０の前後方向８の中央部の上方に位置する。搬送ローラ対３２の駆動ローラ３２Ａ及び排紙ローラ対３３の駆動ローラ３３Ａは、上述の制御回路により、被記録媒体５４を前方に向かって搬送する向きに回転される。被記録媒体５４は、搬送ローラ対３２と排紙ローラ対３３との少なくとも一方によりプラテン３７上を搬送され、以下に説明される記録部４０により画像が記録される。
【００３７】
［記録部４０］
記録部４０は、プラテン３７の上方に配置されたキャリッジ４１と、このキャリッジ４１に保持されたヘッド４２と、を備えている。キャリッジ４１は、不図示のガイドレールにより、左右方向９に沿って移動可能に支持されている。記録部４０は、プラテン３７上を通過する被記録媒体５４に向けてヘッド４２からインクを吐出する。左右方向９に沿う記録部４０の移動と前方への被記録媒体５４の搬送とにより、記録部４０は、被記録媒体５４のほぼ全面に画像を記録することができる。なお、インクにより画像を記録する記録部４０の代わりに、トナーにより画像を記録する記録部が用いられてもよい。
【００３８】
画像が記録された被記録媒体５４は、排紙ローラ対３３から排出され、以下に説明されるトレイ体５０で受けられる。画像記録後の被記録媒体５４を排出する排紙ローラ対３３は、請求項に記載の排出部に相当する。
【００３９】
［トレイ体５０］
トレイ体５０は、図４〜７に示されたように、メイントレイ６０と、このメイントレイ６０の上方に位置するセカンドトレイ７０と、このセカンドトレイ７０の上方に位置する排紙トレイ８０と、を備えており、外形が扁平な直方体状に形成されている。トレイ体５０の厚み方向がトレイ体５０の上下方向５１と定義され、トレイ体５０の奥行き方向がトレイ体５０の前後方向５２と定義され、トレイ体５０の幅方向がトレイ体５０の左右方向５３と定義され、以下説明がされる。なお、トレイ体５０がプリンタ筐体１２に装着された状態において、上下方向７と上下方向５１、前後方向８と前後方向５２、及び、左右方向９と左右方向５３は一致する。トレイ体５０は請求項に記載のトレイ体に相当し、メイントレイ６０は請求項に記載の第１トレイに相当し、セカンドトレイ７０は請求項に記載の第２トレイに相当し、排紙トレイ８０は請求項に記載の蓋及び排紙受け部に相当する。
【００４０】
［メイントレイ６０］
メイントレイ６０は、図６，７  に示されたように、第１被記録媒体５４Ａ（図２参照）が載置可能な矩形板状の底６１と、左右の側壁６２と、後壁６３と、前壁６４と、を備えており、上部が開口する箱状に形成されている。メイントレイ６０の内底面６１Ａに第１被記録媒体５４Ａ（図２参照）が載置される。内底面６１Ａは請求項に記載の第１載置面に相当する。また、第１被記録媒体５４Ａは請求項に記載の第１被記録媒体に相当する。
【００４１】
後壁６３は、底６１の後端から後方斜め上に向かって延びるように底６１に対して傾斜している。上述の給送機構２０（図２参照）により送り出される第１被記録媒体５４Ａ及び第２被記録媒体５４Ｂは、後壁６３の内側面に摺接することで後方斜め上に向かう。すなわち、後壁６３は、被記録媒体５４を搬送路３１（図２参照）に案内する機能を有している。
【００４２】
後壁６３には左右一対の切欠６３Ａが設けられている。この切欠６３Ａは、後壁６３の上端から切り欠かれている。切欠６３Ａには、セカンドトレイ７０に設けられた後述の嵌合片７１Ｂが嵌る。
【００４３】
左右の側壁６２は、セカンドトレイ７０を支持するためのガイドレール部６６と、排紙トレイ８０を支持するための軸受孔６２Ａと、をそれぞれ備えている。ガイドレール部６６は、前後方向５２における前側では側壁６２の内側面側に設けられており、その上面にてセカンドトレイ７０を支持し、後側では側壁６２に前後方向５２に沿った溝として設けられており、その溝の内部にてセカンドトレイ７０を支持している。ガイドレール部６６は、前後方向５２に沿ってスライド可能に後述のセカンドトレイ７０を支持する。軸受孔６２Ａは、側壁６２を貫通し、後述される排紙トレイ８０の回動軸突部８４が挿入されている。軸受孔６２Ａは、前後方向５２における側壁６２の中央部と後端部との間に設けられている。
【００４４】
また、右側の側壁６２は、前後一対のロック孔６２Ｂを備えている。ロック孔６２Ｂは、後述されるように、セカンドトレイ７０のスライド部７１を固定する機能を有している。ロック孔６２Ｂは、請求項に記載のロック凹部に相当し、ロック孔６２Ｂが設けられた右側の側壁６２は請求項に記載の固定壁に相当する。
【００４５】
また、右側の側壁６２は、前方に向かうに従って下がる第１摺接面６２Ｃを上面の一部として備えている。この第１摺接面６２Ｃに上述のアーム２２の摺接部２２Ａが摺接することで給送ローラ２３が上下する。
【００４６】
メイントレイ６０の底６１には、載置される第１被記録媒体５４Ａ（図２参照）の位置合わせを行うサイドガイド機構１８及びリアガイド機構１９が設けられている。サイドガイド機構１８及びリアガイド機構１９の構成は、セカンドトレイ７０に設けられたサイドガイド機構１２０及びリアガイド機構１１０（図８参照）の構成とほぼ同じであるから、ここでは説明が省略される。
【００４７】
［セカンドトレイ７０］
セカンドトレイ７０は、図８に示されたように、左右方向５３に長い矩形板状のスライド部７１と、このスライド部７１の前方側に配置された矩形板状の回動部７２と、を備えている。第２被記録媒体５４Ｂは、図８におけるスライド部７１の上面であるスライド載置面７１Ａと、回動部７２の上面である回動載置面７２Ａに載置される。回動載置面７２Ａは請求項に記載の第２載置面に相当する。また、第２被記録媒体５４Ｂは請求項に記載の第２被記録媒体に相当する。なお、第１被記録媒体５４Ａと第２被記録媒体５４Ｂとは、種類が異なっていてもよいし、同じ種類であってもよい。
【００４８】
［スライド部７１］
図８に示されているように、スライド部７１の左右の両端からは、メイントレイ６０に設けられた上述のガイドレール部６６（図６参照）に支持される第１鍔片７１Ａがそれぞれ突出している。第１鍔片７１Ａが側壁６２に設けられた溝状のガイドレール部６６を滑ることにより、スライド部７１は前後方向５２に沿って移動する。すなわち、スライド部７１は前後方向５２に沿ってスライド可能にメイントレイ６０に支持されている。前後方向５２は、請求項に記載のスライド方向に相当する。
【００４９】
スライド部７１の右部にはロック機構１００が設けられている。ロック機構１００は、ロック部材１０１と、保持部１０２と、不図示の第１ばねと、連結バー１０３と、第２支持部１０４と、リリースレバー１０５と、不図示の伝達機構と、を備えている。ロック部材１０１は、保持部１０２により左右方向５３に沿って移動可能に支持されている。第１ばねは、ロック部材１０１を右向きに付勢する。第２支持部１０４は、連結バー１０３の一端を回動可能に且つ前後方向５２に沿って移動可能に支持する。連結バー１０３は、スライド部７１から前向きに突出した姿勢と、スライド部７１から上向きに突出した姿勢との間で回動し、スライド部７１から前向きに突出した姿勢において前後方向５２に沿って移動する。リリースレバー１０５は、連結バー１０３がスライド部７１から前向きに突出した姿勢において、連結バー１０３の先端部から上向きに突出している。
【００５０】
ユーザによりリリースレバー１０５が図８の前方に向かって移動されると、伝達機構は、連結バー１０３の移動に連動してロック部材１０１を第１ばねの付勢力に抗して左向きに移動させ、図８に示された突出姿勢から退出姿勢にロック部材１０１を姿勢変化させる。ユーザがリリースレバー１０５を離すことで上述の第１ばねに付勢されたロック部材１０１が前側又は後側のロック孔６２Ｂに嵌る。前側のロック孔６２Ｂに嵌ったスライド部７１の位置が前方位置と称され、後側のロック孔６２Ｂに嵌った位置が後方位置と称されて以下説明がされる。
【００５１】
スライド部７１が上述の前方位置又は後方位置に到達する前にユーザがリリースレバー１０５から指を離した場合は、ロック部材１０１は、メイントレイ６０の右の側壁６２の内側面に摺接した後ロック孔６２Ｂに嵌る。ユーザは、ロック部材１０１がロック孔６２Ｂに嵌る際に手に受ける感触や生じる音により、スライド部７１が前方位置又は後方位置に到達したことを認識することができる。すなわち、セカンドトレイ７０が中途半端な位置で放置されることが抑制される。第１ばねは請求項に記載の付勢部材に相当する。また、ロック部材１０１は請求項に記載のロック部材に相当し、突出姿勢は請求項に記載の第１姿勢に相当し、退出姿勢は請求項に記載の第２姿勢に相当する。
【００５２】
スライド部７１の後端からは、左右一対の嵌合片７１Ｂが後方斜め上に向かって突出している。この嵌合片７１Ｂは、上述の後方位置においてメイントレイ６０の後壁６３に設けられた上述の切欠６３Ａに嵌る。嵌合片７１Ｂが切欠６３Ａに嵌ることにより、後方位置においてセカンドトレイ７０の左右方向５３の位置決めがされる。
【００５３】
［回動部７２］
矩形板状に形成された回動部７２の左右両端部からは、左右一対の第２鍔片７２Ｅがそれぞれ突出している。この第２鍔片７２Ｅは、上述の第１鍔片７１Ａと共にメイントレイ６０に設けられたガイドレール部６６（図６参照）の上面に支持される。すなわち、回動部７２は、スライド部７１と共にスライド可能にメイントレイ６０に支持されている。
【００５４】
回動中心軸が連結バー１０３の回動中心軸及び軸受孔６２Ａにより回動可能にメイントレイ６０に支持される後述の排紙トレイ８０の回動中心軸とほぼ一致するように、スライド部７１が前方位置にあるときの回動部７２は、スライド部７１に設けられた上述の第１支持部７１Ｃに回動可能に支持されている。回動部７２は、回動することにより、回動載置面７２Ａが上面となってメイントレイ６０の内底面６１Ａ（第１載置面）に当該回動載置面７２Ａが沿う倒伏姿勢と、回動載置面７２Ａがメイントレイ６０の内底面６１Ａに対して起立する起立姿勢とに姿勢変化する。
【００５５】
図４に示されたように、スライド部７１が上述の後方位置にあり、回動部７２が上述の倒伏姿勢である場合のセカンドトレイ７０の位置が給送位置と称され、図５に示されたように、スライド部７１が上述の前方位置にあり、回動部７２が上述の倒伏姿勢である場合のセカンドトレイ７０の位置が退避位置と称され以下説明がされる。給送位置は請求項に記載の第１位置に相当し、退避位置は、請求項に記載の第２位置に相当する。なお、セカンドトレイ７０が給送位置にあると、回動載置面７２Ａが給送機構２０の給送ローラ２３と対向する。その結果、回動載置面７２Ａに載置される第２被記録媒体５４Ｂが記録部４０に向かって給送される。また、セカンドトレイ７０が退避位置にあると、メイントレイ６０の内底面６１Ａ（第１載置面）が給送機構２０の給送ローラ２３と対向する。その結果、内底面６１Ａに載置される第１被記録媒体５４Ａが記録部４０に向かって給送される。
【００５６】
図８に示されたように、回動部７２は、リリースレバー１０５が下方から挿入される挿通孔７２Ｂを右部に備えている。この挿通孔７２Ｂの前側の周壁の上面から上向きに操作レバー７３が突出している。この操作レバー７３は、挿通孔７２Ｂに下方から挿入されたリリースレバー１０５と前後方向５２において対向している。ユーザは、操作レバー７３を支点にリリースレバー１０５を指で前に引き寄せ、ロック部材１０１をロック孔６２Ｂから外した後、前後方向５２に沿って操作レバー７３及びリリースレバー１０５を動かし、セカンドトレイ７０をスライドさせる。セカンドトレイ７０を移動させるために操作されるリリースレバー１０５及び操作レバー７３は、請求項に記載の第２操作部に相当する。
【００５７】
また、回動部７２は、第２摺接面７２Ｃを上面の一部として備えている。この第２摺接面７２Ｃは、回動部７２の右部に設けられており、前方に向かうに従って下がるように傾斜している。セカンドトレイ７０が上述の給送位置にある場合は、トレイ体５０がプリンタ筐体１２（図１参照）に装着される際に上述のアーム２２（図３参照）が第２摺接面７２Ｃに摺接して給送ローラ２３が下方に変位し、給送ローラ２３が回動部７２に載置された第２被記録媒体５４Ｂ（図２参照）に上方から当接する。
【００５８】
また、回動部７２は、図８に示されたように、前側にガイド長孔７５及び操作凹所７６を備えている。ガイド長孔７５は、前後方向５２に沿い、且つ、回動部７２を貫通し、左右方向５３における中央部に設けられている。操作凹所７６は、回動部７２の左部に設けられており、第２載置面に開口を有している。また、操作凹所７６は、前後方向５２において互いに対向する一対の内側面を備えている。この操作凹所７６は、請求項に記載の凹所に相当する。ガイド長孔７５及び操作凹所７６の機能は、以下に説明されるリアガイド機構１１０及びサイドガイド機構１２０と共に説明される。
【００５９】
図８に示されたように、リアガイド機構１１０は、上述のガイド長孔７５の左右の周壁に跨って回動載置面７２Ａに載置されたリアガイド１１１と、このリアガイド１１１から下方に突出しており、ガイド長孔７５に挿入された不図示の被ガイド片と、リアガイド１１１と共にガイド長孔７５の左右の周壁を回動部７２の厚み方向において挟む止め部１１２（図８参照）と、を備えている。すなわち、リアガイド１１１は、前後方向５２に沿って移動可能に回動部７２に支持されている。ユーザは、リアガイド１１１に設けられた第１つまみ１１３を摘んで移動させることにより、リアガイド１１１の後側の端部にて回動載置面７２Ａに載置された第２被記録媒体５４Ｂ（図２参照）の前側の端縁と当接させる。そして、第２被記録媒体５４Ｂの前後方向５２における端部を、スライド部７１に設けられた上述の嵌合片７１Ｂとリアガイド１１１とで前後方向５２に挟み、前後方向５２における第２被記録媒体５４Ｂの位置合わせを行う。
【００６０】
サイドガイド機構１２０は、左右方向５３における回動部７２の中央部に回動可能に保持されたピニオンギア１２１と、このピニオンギア１２１の左右両側に配置された左右一対のサイドガイド１２２と、このサイドガイド１２２に一端が結合され、他端部においてピニオンギア１２１とそれぞれ噛み合う左右一対のラックギア１２３と、左側のサイドガイド１３２と連結されており、上述の操作凹所７６に収容された第２つまみ１２４と、を備えている。
【００６１】
左右方向５３において互いに対向する各サイドガイド１２２は、ラックギア１２３に連結され回動載置面７２Ａの一部を形成する載置板１２７と、この載置板１２７及び回動載置面７２Ａに対して起立する側板１２８と、この側板１２８に支持され、回動載置面７２Ａに直交する方向（図８における上下方向５１）において載置板１２７及び回動載置面７２Ａと対向する天板１２５と、をそれぞれ備えている。
【００６２】
天板１２５は、側板１２８の上端から左右方向５３における中央部に向かって突出している。また、天板１２５は、側板１２８の前部に設けられている。天板１２５は、側板１２８の前部に設けられることにより、図９に示されたように、セカンドトレイ７０が給送位置にある状態において、排紙トレイ８０の後部側に位置する。
【００６３】
側板１２８は、左側のサイドガイド１２２の載置板１２７の左端部、又は、右側のサイドガイド１２２の載置板１２７の右端部と結合している。天板１２５が排紙トレイ８０と接触しない高さ位置となるように、側板１２８の高さ寸法が設定されている。
【００６４】
セカンドトレイ７０に第２被記録媒体５４Ｂが載置される際、回動載置面７２Ａと対向する天板１２５の下面により第２被記録媒体５４Ｂが回動載置面７２Ａに案内される。また、サイドガイド１２２は、回動載置面７２Ａから立ち上がった前側壁７８を有している。側板１２８及び天板１２５の前端は、前側壁７８に近接している。側板１２８及び天板１２５の前端が前側壁７８に近接しているから、天板１２５により案内された被記録媒体５４Ｂは、前側壁７８を乗り越えることがなく、前側壁７８に当接して位置決めされる。
【００６５】
第２つまみ１２４は、変形部１２４Ａと立設部１２４Ｂとを備えている。変形部１２４Ａは、弾性変形が可能な部材であり、回動載置面７２Ａに沿って配置され、左側のサイドガイド１２２に連結されている。立設部１２４Ｂは、変形部１２４Ａから上向きに突出して設けられている。第２つまみ１２４は、前後方向５２において互いに対向する操作凹所７６の一対の内側面に沿って左右方向５３に移動可能に設けられている。第２つまみ１２４は、左右方向５３の長さ寸法が左右方向５３における操作凹所７６の幅寸法よりも小さく設定されており、操作凹所７６の幅寸法の範囲内で移動可能である。つまり、操作凹所７６の幅寸法により、第２つまみ１２４及びこの第２つまみ１２４と連結するサイドガイド１２２の左右方向５３における移動範囲が決まる。操作凹所７６の幅寸法は、設計により決められた第２被記録媒体５４Ｂのサイズにより設定される。
【００６６】
第２つまみ１２４及び操作凹所７６は、図８に示されたように、前後方向５２におけるセカンドトレイ７０の回動部７２の略中央部に形成されている。したがって、図４に示されたように、セカンドトレイ７０が給送位置にある状態において、第２つまみ１２４は、排紙トレイ８０の後方に位置し、露出される。
【００６７】
第２つまみ１２４がユーザにより右向き又は左向きに移動されることにより、第２つまみ１２４と連結された左側のサイドガイド１２２及びラックギア１２３が右向き又は左向きに移動する。この左側のラックギア１２３の移動により、ピニオンギア１２１が回転し、ピニオンギア１２１が回転することにより、ピニオンギア１２１と噛み合っている右側のラックギア１２３及び右側のサイドガイド１２２が左向き又は右向きに移動する。すなわち、一対のサイドガイド１２２は、互いに近づく向き又は互いに離れる向きに連動して移動する。ユーザは、第２つまみ１２４を移動させることにより、回動載置面７２Ａに載置された第２被記録媒体５４Ｂを左右一対のサイドガイド１２２の側板１２８の内側の面で挟むよう第２被記録媒体５４Ｂの左右両端と当該面とを当接させ、左右方向５３における第２被記録媒体５４Ｂの位置合わせを行う。上述のリアガイド機構１１０及び嵌合片７１Ｂと、サイドガイド機構１２０と、により回動載置面７２Ａに載置された第２被記録媒体５４Ｂの位置合わせが行われる。
【００６８】
また、第２被記録媒体５４Ｂは、互いに対向するサイドガイド１２２の天板１２５と載置板１２７との間に挿入され、後端が嵌合片７１Ｂと当接するから、回動部７２が回動される際に、天板１２５と載置板１２７と嵌合片７１Ｂとにより保持され、回動部７２から脱落することがない。つまり、サイドガイド１２２の天板１２５及び載置板１２７と、嵌合片７１Ｂとは、回動の際に第２被記録媒体５４Ｂが回動部７２から脱落することを防止する機能を有している。
【００６９】
また、第２被記録媒体５４Ｂは、互いに対向するサイドガイド１２２の天板１２５と載置板１２７との間に挿入されるから、天板１２５により数量が限定され且つ高さ位置が制限される。したがって、セカンドトレイ７０のスライドにより第２被記録媒体５４Ｂが排紙トレイ８０と当たることがない。つまり、天板１２５は、第２被記録媒体５４Ｂを排紙トレイ８０から保護する機能も有している。
【００７０】
また、第２被記録媒体５４Ｂは、セカンドトレイ７０に載置される際に、載置板１２７と対向する天板１２５の下面に摺接することで、サイドガイド１２２の側板１２８やリアガイド１１１を乗り越えることなく、回動載置面７２Ａに案内される。つまり、天板１２５は、第２被記録媒体５４Ｂを案内し且つ回動載置面７２Ａから脱落することを防止する機能を有している。リアガイド１１１及びサイドガイド１２２は、請求項に記載のガイド部材に相当する。また、リアガイド１１１に設けられた第１つまみ１１３及びサイドガイド１２２を移動させる第２つまみ１２４は、請求項に記載の第１操作部に相当する。また、リアガイド１１１は請求項に記載のリアガイドに相当し、サイドガイド１２２は請求項に記載のサイドガイドに相当する。また、天板１２５は、請求項に記載の天板に相当する。
【００７１】
操作凹所７６の開口の縁には、回動載置面７２Ａに載置される第２被記録媒体５４の位置合わせについての情報が表記された第１表記部７７が設けられている。ユーザは、載置する第２被記録媒体の種類と、第１表記部７７に表記された情報とにより、リアガイド１１１を移動させる。上記情報は、請求項に記載の位置合わせ情報に相当する。
【００７２】
ところで、第２つまみ１２４は、ユーザがつまみ易いように、回動載置面７２Ａよりも上方に飛び出る立設部１２４Ｂを有しており、また、排紙トレイ８０との位置関係により配置位置が限定される。上述されたように、アーム２２の摺接部２２Ａが摺接する第１摺接面６２Ｃ及び第２摺接面７２Ｃはトレイ体５０の右部に設けられており、第２つまみ１２４が収容される操作凹所７６はトレイ体５０の左部に設けられている。そして、アーム２２は、給送ローラ２３を持ち上げるために、摺接部２２Ａから給送ローラ２３の位置までにわたって設けられている。つまり、第２つまみ１２４は、画像記録装置１０の左右両部の一方に配置され、アーム２２は他方に配置されている。したがって、図９（Ａ），（Ｂ）に示されたように、アーム２２と、第２つまみ１２４とは当たることがない。つまり、アーム２２と干渉することなく第２つまみ１２４をトレイ体５０に設けることができる。
【００７３】
［排紙トレイ８０］
排紙トレイ８０は、図４〜７に示されたように、第１被記録媒体５４Ａ及び第２被記録媒体５４Ｂを支持可能な矩形板状の基部８１と、前壁８２と、左右の側壁８３と、この左右の側壁８３の後端部から左右方向５３に沿って互いに離れる向きに突出している左右一対の回動軸突部８４と、を備えている。排紙トレイ８０は、セカンドトレイ７０が給送位置及び退避位置にあっても、その上方の少なくとも一部を覆うよう形成されており、トレイ体５０の蓋としても機能する。排紙トレイ８０によって、メイントレイ６０やセカンドトレイ７０への埃の侵入の虞や、トレイ体５０又は画像記録装置１０の運搬時に被記録媒体５４や載置面等が傷つく虞を低減することができる。
【００７４】
回動軸突部８４は、メイントレイ６０の左右の両側壁６２に設けられた上述の軸受孔６２Ａに上記側壁６２の内側面側から挿入されている。回動軸突部８４と軸受孔６２Ａとにより、排紙トレイ８０は、図４，５に示された受け姿勢と、図６，７に示された補給姿勢との間で回動可能にメイントレイ６０に支持される。排紙トレイ８０は、受け姿勢において、基部８１の第３載置面８１Ａがメイントレイ６０の内底面６１Ａ（第１載置面）に沿い、補給姿勢において、第３載置面８１Ａがメイントレイ６０の内底面６１Ａに対して起立する。なお、基部８１は、受け姿勢においてメイントレイ６０の内底面６１Ａと平行でなくともよく、排出される被記録媒体５４を受けることができる程度に内底面６１Ａに沿っていればよい。
【００７５】
上述されたように、画像記録後の被記録媒体５４を排出する排紙ローラ対３３は、前後方向８におけるトレイ体５０の中央部の上方に配置されており、また、回動軸突部８４が挿入される軸受孔６２Ａは、前後方向５２におけるメイントレイ６０の側壁６２の中央部と後端部との間に設けられている。したがって、トレイ体５０がプリンタ筐体１２に装着された状態において、受け姿勢における排紙トレイ８０の基部８１の後端部は、排紙ローラ対３３の下方に位置しており、排紙トレイ８０は、排紙ローラ対３３から排出された画像記録後の被記録媒体５４を受けることができる。排紙ローラ対３３から排出された画像記録後の被記録媒体５４は、排出の向きにおける先端、即ち前端が受け姿勢にある排紙トレイ８０又は先に排出された被記録媒体５４を滑り、排紙トレイ８０に積み重なっていく。
【００７６】
基部８１は、第１露出窓８６及び第２露出窓８７を備えている。第１露出窓８６は、図６における基部８１の右部を貫通し、窓形状となっている。第１露出窓８６は、図４における前後方向５２に延びる長孔状に形成され、セカンドトレイ７０のスライドの前後に渡って上述の操作レバー７３及びリリースレバー１０５をトレイ体５０の外部に露出させる。すなわち、セカンドトレイ７０が給送位置及び退避位置とその間のどの位置にあっても、操作レバー７３とリリースレバー１０５との上方が開放されている。ユーザは、第１露出窓８６を介して操作レバー７３及びリリースレバー１０５を操作することでセカンドトレイ７０をスライドさせる。ここにおいて、操作レバー７３及びリリースレバー１０５は、基部８１の上面よりも上に突出しないように設けられている。従って、排紙ローラ対３３から排出された画像記録後の被記録媒体５４は、基部８１の上面を滑る際に操作レバー７３及びリリースレバー１０５に引っ掛かることがない。第１露出窓８６は、請求項に記載の第１露出部に相当する。なお、第１露出窓８６は、窓形状とされることで基部８１の強度の低下を抑えることができるが、基部８１を切り欠いた切り欠き状に形成されてもよい。なお、第１露出窓８６により操作レバー７３及びリリースレバー１０５を縁取ることにより、操作レバー７３及びリリースレバー１０５を目立たせることができる。
【００７７】
第１露出窓８６の縁には、セカンドトレイ７０の姿勢についての情報又は画像が記録される被記録媒体５４の種類についての情報が表記された第２表記部８８が設けられている。ユーザは、第２表記部８８に表記された情報と、操作レバー７３及びリリースレバー１０５の位置とにより、セカンドトレイ７０の姿勢又は画像が記録される被記録媒体５４の種類を認識することができる。
【００７８】
第２露出窓８７は、図４における基部８１の後端部の左右方向５３の中央部を貫通し、上述のリアガイド１１１をトレイ体５０の外部に露出させる窓形状に形成されている。第２露出窓８７は、請求項に記載の第２露出部に相当する。第２露出窓８７は、給送位置におけるセカンドトレイ７０のリアガイド１１１の上方であり、退避位置におけるリアガイド１１１の上方とは異なる位置に配置されている。つまり、リアガイド１１１は、給送位置において上方に露出され、退避位置において排紙トレイ８０に覆い隠される。
【００７９】
また、前後方向５２における第２露出窓８７の長さ寸法は、前後方向５２におけるリアガイド１１１の移動距離よりも長く設定されている。つまり、給送位置において、ユーザは、第２露出窓８７を介してリアガイド１１１をその移動範囲内で移動させることができる。
【００８０】
第２露出窓８７の縁には、回動載置面７２Ａに載置される第２被記録媒体５４Ｂの位置合わせについての情報が表記された第３表記部８９が設けられている。ユーザは、第３表記部８９に表記された情報により、サイドガイド１２２の位置合わせを行う
【００８１】
図１０（Ａ）の斜線で示された第１領域９１は、退避位置にあるセカンドトレイ７０の回動部７２における排紙トレイ８０に覆われる領域である。図１０（Ｂ）の斜線で示された第２領域９２は、給送位置にあるセカンドトレイ７０の回動部７２における排紙トレイ８０に覆われない領域である。図１０（Ｃ）のハッチングで示された第３領域９３は、第１領域９１であり且つ第２領域９２である領域である。
【００８２】
セカンドトレイ７０に設けられた上述の第２つまみ１２４及び側板１２８の後部と、リアガイド１１１及び第１つまみ１１３とは、第３領域９３に設けられている。従って、セカンドトレイ７０が退避位置にあってメイントレイ６０に載置された第１被記録媒体５４Ａ（図２参照）が給送ローラ２３により送り出されるときは、第２つまみ１２４及び側板１２８の後部と、リアガイド１１１及び第１つまみ１１３とは、ユーザにより視認されることができない。そして、セカンドトレイ７０が給送位置にあってセカンドトレイ７０に載置された第２被記録媒体５４Ｂ（図２参照）が給送ローラ２３により送り出されるときは、視認されることができる。退避位置において第２つまみ１２４及びサイドガイド１２２と、リアガイド１１１及び第１つまみ１１３とをユーザから隠すことにより、メイントレイ６０に載置されるべき第１被記録媒体５４Ａが誤ってセカンドトレイ７０に載置されることを防止することができる。また、第２つまみ１２４及び側板１２８の後部と、リアガイド１１１及び第１つまみ１１３とを見え隠れさせることにより、被記録媒体５４をメイントレイ６０とセカンドトレイ７０とのどちらのトレイに載置するべきかをユーザに認識させることができる。また、メイントレイ６０とセカンドトレイ７０とのどちらのトレイに載置された被記録媒体５４に画像が記録されるかをユーザに容易に認識させることができる。
【００８３】
［トレイ体５０の動作］
最初に、セカンドトレイ７０がユーザにより退避位置から給送位置に移動される場合のトレイ体５０の動作について説明がされる。トレイ体５０は、第１露出窓８６を介して操作レバー７３とリリースレバー１０５とがユーザにより摘まれることでロック機構１００における固定が解除される。その後、ユーザにより操作レバー７３及びリリースレバー１０５が動かされることで、セカンドトレイ７０は、前後方向５２に沿って移動し、退避位置から給送位置に移る。セカンドトレイ７０が給送位置に移動すると、退避位置において排紙トレイ８０により覆い隠されていた第２つまみ１２４及びサイドガイド１２２が露出され、退避位置において排紙トレイ８０により覆い隠されていた第１つまみ１１３及びリアガイド１１１が第２露出窓８７により露出される。第２つまみ１２４及びサイドガイド１２２と、第１つまみ１１３及びリアガイド１１１と、が露出されることにより、セカンドトレイ７０に第２被記録媒体５４Ｂを載置することをユーザに促す。
【００８４】
次に、セカンドトレイ７０がユーザにより給送位置から退避位置に移動された場合のトレイ体５０の動作について説明がされる。上述と同様に、操作レバー７３とリリースレバー１０５とがユーザにより摘まれて移動されることにより、セカンドトレイ７０は、給送位置から退避位置に移動し、退避位置においてロック機構１００により固定される。セカンドトレイ７０が退避位置に移動すると、給送位置において露出されていた第２つまみ１２４及びサイドガイド１２２と、第１つまみ１１３及びリアガイド１１１と、が排紙トレイ８０により覆い隠される。第２つまみ１２４及びサイドガイド１２２と、第１つまみ１１３及びリアガイド１１１と、が排紙トレイ８０により覆い隠されることにより、メイントレイ６０に第１被記録媒体５４Ａを載置することをユーザに促す。
【００８５】
［本実施形態の効果］
本実施形態では、セカンドトレイ７０が給送位置又は退避位置に移動されることにより、給送ローラ２３により送り出される被記録媒体５４を、メイントレイ６０の底６１に載置された第１被記録媒体５４Ａ、又は、セカンドトレイ７０に載置された第２被記録媒体５４Ｂに変えることができる。
【００８６】
また、本実施形態では、第２つまみ１２４及びサイドガイド１２２の一部と、第１つまみ１１３及びリアガイド１１１と、が上述の第３領域９３（図１０参照）に設けられたことにより、セカンドトレイ７０のスライドにより第２つまみ１２４及びサイドガイド１２２と、第１つまみ１１３及びリアガイド１１１と、が見え隠れし、その結果、メイントレイ６０に載置されるべき第１被記録媒体５４Ａが誤ってセカンドトレイ７０に載置されることを防止することができると共に、被記録媒体５４をメイントレイ６０とセカンドトレイ７０とのどちらのトレイに載置するべきかをユーザに容易に認識させることができる。
【００８７】
また、排紙トレイ８０に第２露出窓８７を設けることにより、上述の第３領域９３に設けられるリアガイド１１１の配置場所の制限を緩和でき、その結果、使い勝手を良くすることができる。
【００８８】
なお、本実施形態では、リアガイド１１１とサイドガイド１２２と回動部７２とで、第２被記録媒体５４Ｂを収容する収容空間が形成された例が説明されたが、排紙トレイ８０に、セカンドトレイ７０の給送位置において、リアガイド１１１、サイドガイド１２２及び回動部７２と共に上記収容空間を形成する突起が設けられてもよい。この突起により、第２被記録媒体５４Ｂの位置決めや上記収容空間からの第２被記録媒体５４Ｂの脱落をより確実に防止することができる。
【００８９】
また、本実施形態では、第２つまみ１２４及びサイドガイド１２２と、第１つまみ１１３及びリアガイド１１１と、がセカンドトレイ７０のスライドにより見え隠れする例が説明されたが、セカンドトレイ７０の移動により第２つまみ１２４及び第１つまみ１１３のみが見え隠れする構成が採用されてもよい。
【００９０】
また、本実施形態では、リアガイド１１１のみ第１露出窓８６で露出させる例が説明されたが、給送位置においてサイドガイド１２２を露出させる露出窓が排紙トレイ８０に設けられてもよい。
【００９１】
また、本実施形態では、トレイ体５０の蓋である排紙トレイ８０を排紙受け部として用いた構成が説明されたが、トレイ体５０の蓋と排紙受け部とが別体とされ、排紙受け部が画像記録装置本体１１に設けられた構成が採用されてもよい。
【００９２】
本実施形態では、セカンドトレイ７０と排紙トレイ８０とが別部材であることにより、セカンドトレイ７０のスライドによって排紙トレイ８０は移動しない。したがって、排紙トレイ８０とフレーム等との干渉を考慮することなく排紙トレイ８０の高さ位置を設定することができ、排紙トレイ８０をセカンドトレイ７０よりも高い位置に配置して排紙ローラ対３３に近づけることができる。その結果、排紙ローラ対３３から排出された画像記録後の被記録媒体５４を排紙トレイ８０で正常に受けることができる。
【００９３】
なお、サイドガイド１２２やリアガイド１１１の形状は、本実施形態で説明された形状に限定されるものではなく、ユーザによって移動のために操作される操作部と、被記録媒体５４の端縁に当接してその位置を決める当接部が形成されていればよい。また、操作レバー７３やリリースレバー１０５等のセカンドトレイ７０をスライドさせる構成も、セカンドトレイ７０を移動させるためにユーザに操作される部材が形成されていればよい。
【符号の説明】
【００９４】
１２・・・プリンタ筐体（本体）
２０・・・給送機構（給送部）
３３・・・排紙ローラ対（排出部）
４０・・・記録部（記録部）
５０・・・トレイ体（トレイ体）
５４Ａ・・第１被記録媒体
５４Ｂ・・第２被記録媒体
６０・・・メイントレイ（第１トレイ）
７０・・・セカンドトレイ（第２トレイ）
７２Ａ・・回動載置面
８０・・・排紙トレイ（蓋、排紙受け部）
８６・・・第１露出窓（第１露出部）
８７・・・第２露出窓（第２露出部）
９１・・・第１領域
９２・・・第２領域
９３・・・第３領域
【図１】
0005561078.tif 000002
【図２】
0005561078.tif 000003
【図３】
0005561078.tif 000004
【図４】
0005561078.tif 000005
【図５】
0005561078.tif 000006
【図６】
0005561078.tif 000007
【図７】
0005561078.tif 000008
【図８】
0005561078.tif 000009
【図９】
0005561078.tif 000010
【図１０】
0005561078.tif 000011